(57)【要約】【課題】従来の携帯情報端末は、ネットワークやインターネット及び携帯電話通信網などを利用し、さまざまな情報を取得することが出来たが、利用者が一度に複数の組み合わせの情報を必要とした場合、操作性やデータ通信速度の問題などから瞬時に情報を収集するには煩雑な操作が必要であるという問題を抱えていた。【解決手段】携帯情報端末の画面をソフトウエアやプログラムにより分割表示を可能とし、それぞれの画面に設定された内容により、ネットワークやインターネット及び携帯電話通信網などを利用し随時それぞれの情報を取得し表示することで、利用者必要とする複数の組み合わせの情報を収集、表示し一覧することを可能とする仕組みを提供する。【選択図】図１
2006331362.tif 000002
【特許請求の範囲】
【請求項１】
携帯情報端末の画面を複数に分割し、それぞれに異なる情報を随時取得しておき表示するためのシステム。
【請求項２】
これら画面に表示する情報は任意に選択、設定が可能とすることでさまざまな組み合わせの情報を収集、表示することを可能とするシステム。
【請求項３】
また、これら画面に表示する情報は設定された任意の時間ごとに情報を取得することで常に最新の情報を表示することを可能とするシステム。
【発明の詳細な説明】
【技術分野】
【０００１】  本発明は、携帯情報端末においてソフトウエアやプログラムなどにより画面を複数に分割し、それぞれに異なる分野の情報を収集し一覧表示することを可能とするシステムに関する。
【背景技術】
【０００２】  携帯電話やパーソナルコンピュータ及びＰｅｒｓｏｎａｌ  Ｄａｔａ  Ａｓｓｉｓｔａｎｃｅなどに代表される携帯情報端末は、インターネットや携帯電話通信網などを介して情報を取得することで、時間や場所の制限無くいろいろな情報を収集することが可能である。
【発明の開示】
【発明が解決しようとする課題】
【０００３】  しかしながら、天気予報、道路混雑状況、鉄道運行状況、株価情報など複数の情報を取得する場合は、それぞれの情報を掲載しているホームページを参照するなど別々に取得する必要があった。【０００４】  操作性に優れ画面が大きなパーソナルコンピュータなどの情報機器であればさほど不便さは無いが、携帯電話やＰＤＡ等の携帯情報端末では画面サイズ、操作性、データ通信速度などの制限から手間のかかる作業であった。【０００５】  また、外出時や緊急時など、携帯電話やＰＤＡ等の携帯情報端末を利用し異なる複数の情報を収集するための操作は非常に煩雑なものであった。【０００６】  本発明は、このような従来の携帯情報端末などが有していた問題を解決しようとするものであり、複数の最新情報を収集、一覧することを可能とすることで利用者の利便性を向上させるためのシステムである。
【課題を解決するための手段】
【０００７】  本発明は、携帯情報端末において、画面を分割し、それぞれに設定された複数の情報をあらかじめ収集しておき表示することで、異なる複数の情報を一覧表示することを目的とするものである。【０００８】  また、第２の解決手段は、分割された画面のそれぞれに表示される情報は設定により任意に選択することを可能とすることで、さまざまな組み合わせの情報を一覧することを可能とするものである。【０００９】  第３の課題解決手段としてこれらの情報はあらかじめ設定された任意の時間に情報を再取得する機能を持たせることで、常に最新の情報を表示することが可能となる。【００１０】  上記第１の課題解決手段による作用は、この仕組みを利用することで、利用者は必要な複数の情報を一覧できる点にある。【００１１】  上記第２の課題解決手段による作用は、一覧を必要とする情報は利用者により異なるため、設定によりさまざまな組み合わせの情報を提供し利用者の利便性を向上させるものである。【００１２】  上記第３の課題解決手段による作用は、それぞれの情報は、最新情報が提供される時刻が異なる上、利用者により必要とされる時刻にも差がある。このため、それぞれの情報にあわせて任意の時点で情報を再度取得し表示することで、それぞれの情報にあわせて常に最新の情報を取得、表示することが可能となる。
【発明の効果】
【００１３】  本発明の仕組みを利用することで、天気予報、道路混雑状況、鉄道運行状況、株価情報など、いつでも最新で且つ必要な組み合わせの情報を、面倒な操作をすることなく一覧することを可能とする。
【発明を実施するための最良の形態】
【００１４】  以下、本発明の実施の形態を図１から図３に基づいて説明する。【００１５】  図１は、本発明を実施するための仕組み全体を現している。１は携帯情報端末で、それぞれ２、３のように画面が２分割されていることを表している。４も携帯情報端末で、それぞれ５、６、７に示すように画面が３分割されていることを表している。これらの携帯情報端末の画面は、組み込まれたプログラム、ＨＴＭＬ（Ｈｙｐｅｒ  Ｔｅｘｔ  Ｍａｒｋｕｐ  Ｌａｎｇｕａｇｅ）に代表されるインターネット記述言語やソフトウエアにより画面を分割して構成している。これら携帯情報端末はそれぞれ８に示すネットワーク、インターネットや携帯電話通信網などを経由し、９にあたるインターネットのホームページ、１０のような情報サーバーや１１のようなデータベースなどと情報通信を行うことの出来る仕組みを有している。【００１６】  以下、上記構成の動作例を説明する。１の携帯情報端末の画面に組み込まれ、２、３の画面それぞれに組み込まれたソフトウエアやプログラムの設定により、２の画面は、８に示すインターネットを経由し、９のインターネットのホームページから天気予報に関する情報を取得し表示する。【００１７】  ３の画面も同様に８に示すインターネットを経由し、１０の情報サーバーから鉄道の運行状況に関する情報を取得し表示する。【００１８】  利用者が別の情報を必要としている場合には、４の携帯情報端末が示すように、画面に組み込まれたソフトウエアやプログラムの設定を切り替えることにより、画面の分割方法や取得する情報や表示方法などを変更できるような仕組みを持たせる。【００１９】  この仕組みにより、利用者は必要な情報の組み合わせを任意に選択、設定することが可能となり利用時の状況に応じた情報の閲覧が可能となる。【００２０】  このため、利用者は携帯情報端末１の組み合わせの情報を利用することで、通勤時に気になる情報を瞬時に把握することが可能となるが、最新のニュースに関する情報や、株式や金融情報のように昼間に刻々と変化するような情報が必要な場合は、設定を切り替えることで、まったく違う情報の組み合わせを収集することが可能となる。【００２１】  また、携帯情報端末１において、画面２の天気予報は、早朝、正午、夕刻のように１日３回情報を再取得し、画面３の鉄道運行状況は朝７時と夕方５時の１日２回情報を再取得し表示するよう設定しておけば、利用者は必要な時点で常に最新の情報を取得、表示しておくことが可能となる。【００２２】  図２は、携帯情報端末の画面の分割例を示しており、３分割された画面の上段である１２の画面には天気予報の情報を表示し、中段の画面である１３には鉄道の運行状況、下段の画面に当たる１４には、航空機の運行状況を表示している。【００２３】  図３も携帯情報端末の画面の分割例を示しており、２分割された画面の上段である１５には、金融情報を表示し、下段に当たる１６には、株価情報を表示している。【００２４】  以上のように、本実施形態によれば携帯情報端末を利用してさまざまな組み合わせの情報を取得する煩雑さを軽減することが可能となる。
【図面の簡単な説明】
【００２５】
【図１】  本発明の実施するための仕組み全体像
【図２】  携帯情報端末の画面を上下３分割した場合の利用例として、上段に天気予報、中断に鉄道の運行状況、下段に航空機の発着状況を表示したもの
【図３】  携帯情報端末の画面を上下２分割した場合の利用例として、上段に為替等の情報、下段に株式の情報を表示したもの
【符号の説明】
【００２６】１  携帯情報端末１
２  携帯情報端末の画面１Ａ
３  携帯情報端末の画面１Ｂ
４  携帯情報端末２
５  携帯情報端末の画面２Ａ
６  携帯情報端末の画面２Ｂ
７  携帯情報端末の画面２Ｃ
８  インターネット、ネットワーク及び携帯電話通信網
９  インターネットのホームページ
１０  情報サーバー
１１  データベース
１２  ３分割された画面上段
１３  ３分割された画面中段
１４  ３分割された画面下段
１５  ２分割された画面上段
１６  ２分割された画面下段
【図１】
2006331362.tif 000003
【図２】
2006331362.tif 000004
【図３】
2006331362.tif 000005